(57)【要約】【課題】  軽量で、保水性が高く、植物の植え替えが容易であり、また、壁面等の設置面を傷付けることなく簡単に設置可能な緑化用ユニットを提供する。【解決手段】  本発明の緑化用ユニットは、ガラス繊維を主体とした成形保水体に、植栽用の受部を設けたことを特徴とする。【選択図】  図１
2006087334.tif 000002
【特許請求の範囲】
【請求項１】
ガラス繊維を主体とした成形保水体に、植栽用の受部を設けたことを特徴とする緑化用ユニット。
【請求項２】
前記成形保水体に透水性を有するマイクロカプセルを含有させたことを特徴とする請求項１記載の緑化用ユニット。
【請求項３】
前記受部に植栽基盤を取り付けたことを特徴とする請求項１又は２記載の緑化用ユニット。
【請求項４】
前記成形保水体が、多孔質プラスチックフィルム又は合成繊維織布からなる被覆材で被包されていることを特徴とする請求項１乃至３の何れかに記載の緑化用ユニット。
【請求項５】
前記被覆材が、連続微細孔を有する多孔質プラスチックフィルムであることを特徴とする請求項４記載の緑化用ユニット。
【発明の詳細な説明】
【技術分野】
【０００１】
本発明は、土木構造物の法面等若しくは建築物の屋上、壁面若しくは金網や柵等を緑化するための緑化用ユニットに関する。
【背景技術】
【０００２】
従来、土木構造物の法面等若しくは建築物の屋上、壁面若しくは金網や柵等の水平面、垂直面若しくは傾斜面等を緑化する場合には、屋上又は地面にツタ類を植栽し、壁面等に沿って設置した枠組に前記ツタ類を伝わせる方法や、植物を植栽した軽量な土壌を入れたポット装置を固定用枠組に設置する方法が採られていた。しかし、前者の方法は、ツタ類が成長するまでに時間がかかることや、植物の生長任せで、設計どおりに緑化できない場合があるという問題があった。また、後者の方法は、成長した植物を植栽したポット装置を使用すれば、始めから設計どおりに壁面等の緑化が実施できるという利点があるが、土壌を入れたポット装置は質量が重く、壁面等に固定するには、丈夫な固定用枠組を設置することが必要で、多大の経費と工数を必要とするという問題があった。
【０００３】
そこで、このような固定用枠組を必要とせずに壁面等を緑化する方法として、例えば、特許文献１には、メッシュ地に不織布等の透水シート（透水係数１×１０-4〜１×１０1ｃｍ／ｓｅｃ）を内張りした壁面緑化用袋に、保水性を表すＷ値が１〜２０である軽量土壌を充填し、前記土壌に植物を植えるようにした壁面緑化方法が開示されている。この壁面緑化用袋は、固定用枠組を使用せずにアンカーボルト等で壁面に固定することができる。尚、Ｗ値とは、一定体積の土壌の最大保水量を同体積の土壌の絶乾質量で除した値である抱水倍率を、更に、前記土壌の絶乾時の比重で除した値をいう。
【０００４】
また、特許文献２には、Ｕ字状のパイプから形成された係止体を用いてブロック壁等に設置できるようにしたプランターが開示されている。このプランターは、ビニール等のシートで被包されたロックウール成形体からなる苗床体の表面に、土や肥料とともに植物を植栽するための凹部を備えたものである。
【特許文献１】特開平１０−９６２３８号公報
【特許文献２】実開平６−８１２３３号全文公報
【発明の開示】
【発明が解決しようとする課題】
【０００５】
しかしながら、特許文献１に開示の壁面緑化方法は、前記壁面緑化用袋に比較的軽量な土壌が充填されたものであるが、実際には、実施例に記載されるように、袋自体及び壁面に約３０ｋｇ／ｍ2とかなり大きな荷重がかかるという問題があった。また、粒子状の土壌を袋に充填した構造のため保形性が低く、ある程度剛性のあるメッシュ地の袋を用いていても給水等によって形態が変化し易く、特に建物等の壁面に設置する場合には、設置しにくいという問題があった。また、強い直射日光を受けるような乾燥し易い環境に設置される場合には、前記壁面緑化用袋に充填された土壌では、保水性が十分でないという問題があった。
また、特許文献２に開示のプランターは、ロックウール成形体からなる苗床体を使用しており、軽量性は良好であると推測されるが、建物の屋上付近の壁面等のような強風や紫外線、夏場の直射日光等に晒される厳しい環境に設置される場合には、所望の耐候性や耐久性が得られないことが推測され、設置条件が限定されてしまうという問題があった。また、苗床体であるロックウールは、水分の吸い上げ保水高さが低く、垂直面や傾斜面に設置される場合には、上下で保水量に差が出ることが推測され、法面や壁面等の垂直面や傾斜面には使用しづらいという問題があった。
一方、建物の屋上や壁面等のように乾燥し易い環境下や厳しい環境下に置かれた植物は、枯死等する場合が多いため、植物の植え替えが簡単に行える緑化製品が望まれている。また、建物等の壁面には高価な壁面材が用いられる場合もあり、このような場所に設置する緑化製品としては、特許文献１のような設置面を傷付けるアンカーボルト等の固定具を使用せず固定でき、しかも、強風等によって浮き上がったり、落下したりすることのないような構造の緑化製品が望まれている。
そこで、本発明は、このような従来の問題点に鑑み、軽量で、保水性が高く、植物の植え替えが容易であり、また、壁面等の設置面を傷付けることなく簡単に設置可能な緑化用ユニットを提供することを目的とする。
【課題を解決するための手段】
【０００６】
本発明の緑化用ユニットは、前記目的を達成するべく、請求項１に記載の通り、ガラス繊維を主体とした成形保水体に、植栽用の受部を設けたことを特徴とする。
また、請求項２記載の緑化用ユニットは、請求項１記載の緑化用ユニットにおいて、前記成形保水体に透水性を有するマイクロカプセルを含有させたことを特徴とする。
また、請求項３記載の緑化用ユニットは、請求項１又は２記載の緑化用ユニットにおいて、前記受部に植栽基盤を取り付けたことを特徴とする。
また、請求項４記載の緑化用ユニットは、請求項１乃至３の何れかに記載の緑化用ユニットにおいて、前記成形保水体が、多孔質プラスチックフィルム又は合成繊維織布からなる被覆材で被包されていることを特徴とする。
また、請求項５記載の緑化用ユニットは、請求項４記載の緑化用ユニットにおいて、前記被覆材が、連続微細孔を有する多孔質プラスチックフィルムであることを特徴とする。
【発明の効果】
【０００７】
本発明の緑化用ユニットは、ガラス繊維を主体とした成形保水体に植栽用の受部を設けたものであり、前記受部には、植栽基盤を取り付けることができ、更に、植物を植栽した状態の植栽基盤を取り付けることもできる。よって、実際の施工条件に合わせて、緑化用ユニットの形態を自由に選択することができる。例えば、建物の壁面等に緑化用ユニットを設置する場合には、まず、植栽基盤を取り付けていない緑化用ユニットを設置し、後から、植物を植栽した植栽基盤を前記設置済みの緑化用ユニットに取り付けるといった手順で作業することもでき、作業性が高められる。また、施工面に実際に固定される前記緑化用ユニット本体と、植栽部分である前記植栽基盤とが、互いに分離可能な別々のユニットで構成されているので、前記植栽部分のみの取り外しが可能であり、例えば、植物の植え替えが必要な場合には、前記緑化用ユニット全体を取り外し・再設置することなく、前記植栽基盤のみを交換することによって、簡単に植物の植え替えが行える。
また、前記成形保水体は、親水性であるガラス繊維同士の間隙に水分を吸収・保持できる構造のため、保水性が高く、水分や養分を成形保水体全体に均一に行き渡らせることができる。また、前記成形保水体は、ガラス繊維を主体とするため、軽量性に優れ、前記成形保水体からなる緑化用ユニットを壁面等に設置する場合に従来のような丈夫な固定用枠組を必要とせず設置でき、設置にかかる費用や工数を低く抑えられる。
また、前記成形保水体が、透水性を有するマイクロカプセルを含有したものである場合は、前記成形保水体の密度が低くなるため、軽量性が更に高められ、また、透水性を有する前記マイクロカプセル内部に水分の吸収・保持が可能であるため、保水性も更に高められる。
また、従来のロックウールからなる植栽基盤に植物を直に植栽した場合には、植物の根張りが悪く、植物の生長が良好でないという問題があったが、本発明の緑化用ユニットは、成形保水体を形成するガラス繊維層に直に植物を植栽するのではなく、植物の生長に適した草炭や泥炭等からなる植栽基盤に植物を植栽し、この植栽基盤を前記成形保水体に取り付ける構造としているので、植物の生長が良好となる。
また、前記成形保水体の表面を多孔質プラスチックフィルム又は合成繊維織布からなる被覆材で被包して緑化用ユニットを形成した場合には、前記成形保水体の構成物であるガラス繊維等の飛散を防止することができる。また、この場合に、前記被覆材に対して給水用の孔部を設けた場合は、前記成形保水体に対して直に給水を行うことができ、また、排水用の孔部を設けた場合は、緑化用ユニットの排水性を良好にして植物の根腐れを防止することができる。
また、前記緑化用ユニット内に、多孔質管等からなる給水用の透水部材を設けた場合は、前記透水部材を通じて前記成形保水体の全体に効率的な給水を行うことができ、乾燥に弱い植物を使った緑化も可能となる。また、前記透水部材として、両端部が雄雌構造となるような互いに連結可能な構造の透水部材を用いた場合には、複数の緑化用ユニットの透水部材同士を連結させることができ、複数の緑化用ユニットに対して効率的な給水が可能となる。
また、植栽基盤固定部材を着脱自在に前記緑化用ユニットに固定する係合部材を前記植栽基盤固定部材と前記受部周囲に設けた場合は、前記植栽基盤固定部材により、植栽基盤の抜け落ち等を防止して安定した状態で植栽基盤を緑化用ユニットに固定しておくことができる。
また、前記緑化用ユニットの植栽部分を覆うように植物飛散防止部材を設けた場合は、強風等に晒される厳しい環境下に設置された植物の飛散を防止することができる。
また、前記緑化用ユニットを例えば建築物や構造物に付設される金網や柵形状物等に対して設置する場合には、前記緑化用ユニットにハトメを設けることで、前記ハトメを利用して前記緑化用ユニットを簡単に設置できる。また、前記緑化用ユニットを平面に対して設置する場合には、面ファスナーのような固定具を利用することで、前記緑化用ユニットを簡単に設置できる。
【発明を実施するための最良の形態】
【０００８】
本発明の緑化用ユニットは、ガラス繊維を主体とした成形保水体に、植栽用の受部を設けたものである。
前記成形保水体を得る方法としては、ガラス繊維同士を熱融着して成形する方法、溶融したプラスチックにガラス繊維を練り込んで成形する方法、ガラス繊維を抄造して成形する方法等を用いることができる。生産性と、壁面等に沿って設置する設置条件を考慮すると、ガラス繊維自体の絡みによってシート状成形体が形成される抄造法が好ましい。前記成形保水体がガラス繊維自体の絡みによって成形されている場合は、袋に粒状土壌を充填した特許文献１の緑化用袋のように給水等によって形態が変化するようなことがなく、また、建物屋上や外壁等に設置した場合でも、風雨による飛散が少なく、強風や紫外線等の天候の影響に耐え得る耐候性や、長期間の設置に耐え得る耐久性を備えている。
前記方法にて得られた矩形状等をなす成形保水体の一方の面には、矩形状、円形状等、好みの形状の受部を形成する。前記受部は、成形保水体に植栽物や植栽基盤を設置することを目的としたものであり、その立体的形状としては、一般的な凹部や、貫通した孔部として形成することができ、矩形や円形等の輪郭部分を立体化させた凸部を形成してこれを受部としてもよい。
【０００９】
前記成形保水体に使用するガラス繊維としては、平均繊維径０．８〜１０μｍのガラス繊維を使用することができる。前記ガラス繊維の平均繊維径を０．８μｍ未満とした場合は、材料単価の向上、抄造時の歩留りの低下、生産性の低下、安全性（人への発癌性）の低下、成形保水体の透水性（水の浸透速度）の低下を招くため好ましくない。また、前記ガラス繊維の平均繊維径を１０μｍ超えとした場合は、繊維同士の絡み合いが少なくなることによる成形性の低下、成形保水体の保水性の低下を招くため好ましくない。
また、前記ガラス繊維の平均繊維径は小さい程、成形保水体の保水の均一性が高まるので好ましいが、安全性（人への発癌性）の面からは、平均繊維径は４μｍ以上とすることが好ましい。平均繊維径が４μｍ以上のガラス繊維は、ＩＡＲＣ（国際癌研究機関）による発癌性分類（２００１年１０月）においてグループ３（人への発癌性について分類できない）に分類されている。
また、前記ガラス繊維としては、例えば、窓ガラスの廃材であるカレットガラス、ガラス粉等を溶融し、紡糸した後、バーナの火炎でエネルギを与えて吹き飛ばして得られるガラス繊維を使用することができる。また、前記ガラス繊維は、環境対策や製品コストダウンへの配慮から、ガラス繊維製断熱材の端材や廃材を原料として利用するとよい。
また、前記成形保水体には、ガラス繊維のみならず、微細ガラス粉を混合使用してもよい。
【００１０】
前記成形保水体は、ガラス繊維のみの材料からでも成形可能であるが、風雨等に晒される設置条件を考慮して、強度を高めるため、クラフトパルプ、ポリエチレン、ポリウレタン、アクリロニトリル等のバインダーを使用することが好ましい。
【００１１】
前記成形保水体は、透水性を有するマイクロカプセルを含有していることが好ましい。前記マイクロカプセルとしては、加熱等により膨張する膨張性材料を内包し、加熱等により膨張させると、膨張した外殻の形状を維持しつつ内部の膨張性材料を放出させ、内部に水分の吸収・保持が可能となる透水性が付与される構造のマイクロカプセルを使用することが好ましい。このようなマイクロカプセルの外殻の材料としては、耐薬品性、耐候性を有し、形状を維持できる程度の強度を示す熱可塑性樹脂、例えば、ポリエチレン、ポリオレフィン、ポリアクリロニトリル（ＰＡＮ）系等を使用することができる。また、前記マイクロカプセルに内包させる膨張性材料としては、加熱により膨張する熱膨張性材料、例えば、低沸点炭化水素等を使用することができる。
【００１２】
前記成形保水体は、例えば、次のような方法により製造することができる。まず、ガラス繊維を主体とし、必要に応じて補強材料を所定量添加し、ミキサー、パルパー等の分離機により、水中で均一に分散・混合し、原料分散液を得る。次いで、該原料分散液を用いて、円網、長網又は傾斜式抄紙機により湿式抄造し、ガラス繊維を主体とした成形保水体シートを得る。
また、透水性を有するマイクロカプセルを含有させる場合は、まず、ガラス繊維を主体とし、熱膨張性マイクロカプセルの所定量と、必要に応じて補強材料の所定量を添加し、水中で均一に分散・混合した後、カチオン系吸着剤としてポリアクリルアミド系吸着剤を適量添加し、前記ガラス繊維表面に前記熱膨張性マイクロカプセルを吸着・担持させ、原料分散液を得る。次いで、該原料分散液を用いて湿式抄造し、ガラス繊維を主体とし熱膨張性マイクロカプセルを均一分散状態に含有したシート状物を得る。次いで、該シート状物を適当な温度で加熱処理して前記熱膨張性マイクロカプセルを膨張させ、前記シート状物の厚さを均一に拡大せしめ、膨張した外殻の形状を維持しつつ透水性が付与された構造のマイクロカプセルが分散状態に含有された成形保水体シートを得る。
本発明の成形保水体は、このようにして製造された単層の成形保水体シートをそのまま用いることもできるが、目的とする厚さに合わせて前記単層の成形保水体シートを複数層積層して用いることもできる。前記単層の成形保水体シートを積層する方法としては、例えば、一旦抄造して得た成形保水体シートを接着剤等により貼り合わせる方法や、抄き合わせ法や抄き重ね法により抄造時に積層する方法、あるいは、これらの方法の組み合わせでもよい。
【００１３】
前記成形保水体は、保水性を表すＷ値が４０以上と、通常の土壌の３０倍以上、従来の多孔質性の人工土壌に比べても３倍以上の保水力を有し、緑化用ユニットの厚さを２ｃｍ程度に薄くした場合でも、植物の生育に必要な量の水分保持が可能である。
また、前記成形保水体を用いて厚さ２ｃｍ、大きさ３０ｃｍ×３０ｃｍの緑化用ユニットを形成した場合、絶乾時の質量が約２ｋｇ／ｍ2であり、大きさの違いはあるが、特許文献１に記載の従来の壁面緑化用袋に軽量土壌を充填した緑化用ユニットの質量である３０ｋｇ／ｍ2と比較して約１／１５の質量となっており、軽量性が優れている。
よって、本発明の緑化用ユニットによれば、軽量で取扱い性に優れることから、建物の屋上や壁面等に設置する場合においても、設置作業を容易かつ安全にし、また、設置した緑化用ユニットの荷重が建物の積載荷重の基準値や壁面材の剥離強度を超える危険性も少なくできるとともに、壁面等の垂直面へ設置する際にもアンカーボルト等の固定具を使用せずに設置でき壁面等の設置面を傷付けることがない。
【００１４】
本発明の緑化用ユニットは、前記成形保水体に設けられた前記受部に植栽基盤を取り付けた形態であってもよく、更には、前記植栽基盤に植物を植栽した状態の植栽基盤を前記受部に取り付けた形態であってもよい。
前記植栽基盤としては、一般に用いられる土壌の他に、パーライト、三次元的に繊維が絡んだ草炭、泥炭等を使用することができる。壁面等の垂直面に設置することを考慮すると、構造が崩れないシート状の草炭、泥炭を主体とした植栽基盤を使用することが好ましい。
【００１５】
前記成形保水体は、ガラス繊維等の構成物の飛散を防止するため、多孔質プラスチックフィルム又は合成繊維織布からなる被覆材によって被包されていることが好ましい。
前記被覆材によって前記成形保水体を被包して緑化用ユニットを構成した場合には、緑化用ユニットへの給水や緑化用ユニットからの排水が困難となる可能性が考えられるため、必要に応じて、前記被覆材の適宜箇所に、給水用又は排水用の孔部を設けるようにしてもよい。
前記合成繊維織布としては、ポリエステル、ポリエチレン、ポリプロピレン等の合成繊維からなる織布が、適度な透気性及び透水性と、良好な耐候性を有しており好ましい。
前記多孔質プラスチックフィルムとしては、例えば、ポリオレフィン系プラスチックと、無機粉体と、可塑剤を材料として、溶融・混練しながら押し出し、成形ロールで圧延して所定厚さのシートに成形後、可塑剤を除去することによって得られるような、複雑な連続微細孔を有する多孔質プラスチックフィルムを使用することが好ましい。前記ポリオレフィン系プラスチックとしては、フィルムの機械的強度や耐候性を考慮すると、超高分子量ポリエチレンを使用することが好ましい。
前記のようにして得られる多孔質プラスチックフィルムは、無機粉体により複雑化された最大孔径１μｍ以下の連続微細孔を有しており、透水係数を１×１０-5ｃｍ／ｓｅｃ以下に小さくでき、透気性は有するが透水性は殆ど有しないという特性を有する。よって、このような多孔質プラスチックフィルムで前記成形保水体を被包した場合は、前記成形保水体が保持する水分の蒸発を極力阻止できる一方、植物の生育に必要な窒素、酸素、二酸化炭素等の気体は自由に透過させることができ、厳しい環境下において乾燥等に耐え得る耐候性が向上した緑化用ユニットとすることができる。また、複雑な微細孔内に接着剤が染み込むため、部材等を強固に接着することが可能となる。また、前記多孔質プラスチックフィルムは、空隙率が６０％程度と高く、軽量であり、また、無機粉体が含有されているため、ビニール等の他の合成樹脂フィルムと比較して機械的強度が高い。
また、前記多孔質プラスチックフィルムを製造する際に適当な着色剤を添加するようにすれば、前記多孔質プラスチックフィルムを所望の色調に着色することができ、例えば、建物の外壁面に設置する緑化用ユニットをその建物の外観のイメージに合わせたあるいはイメージを損なわない所望の色調に形成することが可能となる。ただし、前記着色剤としては、できるだけ環境に無害な着色剤を使用する必要がある。
また、前記多孔質プラスチックフィルムとして表面に線状又は点状のリブ状突起を設けた多孔質プラスチックフィルムを使用し、前記突起形成面を内側にして成形保水体を被包して緑化用ユニットを形成した場合は、前記リブ状突起により位置ずれを防止できるとともに、前記リブ状突起間の空間が排水路となり、降雨時や給水時の不要な水分を速やかに排出できるという利点を有する。
【００１６】
次に、本発明の緑化用ユニットの実施の形態を図面に基づき説明する。
図１は、本発明の緑化用ユニット１の第１の実施の形態を示した斜視図であり、ガラス繊維を主体とした略矩形状の成形保水体２の一方の面に、植栽基盤４を嵌合可能な円形凹状の植栽用の受部３を４箇所設けている。植物５は、草炭等の固形体からなる円筒状の植栽基盤４に植栽し、この植物５を植栽した植栽基盤４を前記受部３に嵌め込んで固定することができる。このため、緑化用ユニット１の実際の施工作業を、まず、植栽基盤４を取り付けていない緑化用ユニット１を壁面等に設置した後、植物５を植栽した植栽基盤４を前記設置済みの緑化用ユニット１に取り付けるといった手順で行うことができ、作業性がよい。また、植物５が枯死した際や季節に応じた植物５に交換する際等に植物５の植え替えを行う場合には、緑化用ユニット１全体を交換することなく、受部３に取り付けた植栽基盤４のみを交換することによって、簡単に植物５の植え替えが行える。
【００１７】
図２は、本発明の緑化用ユニット１の第２の実施の形態を示した断面図であり、ガラス繊維を主体とした成形保水体シート２’を３層重ねて成形保水体２とし、この成形保水体２を多孔質プラスチックフィルム６で被包している。前記３層の成形保水体シート２’のうち、上部２層の成形保水体シート２’に植栽基盤４を嵌め込む受部３を設けている。受部３に嵌め込まれた植栽基盤４には、上部２層の成形保水体シート２’から水分が供給されるとともに、最下層の成形保水体シート２’からも水分が供給される。
前記多孔質プラスチックフィルム６には、実際の施工面に緑化用ユニット１が設置された状態で下面あるいは下部となる部位に、少なくとも１つの排水用孔部７を設けている。例えば、図２においては、水平面に設置される場合として、緑化用ユニット１の裏面に当たる部位に排水用孔部７を設けているが、垂直面に設置される場合は、緑化用ユニット１の側面に当たる部位に排水用孔部７を設けるとよい。この排水用孔部７から、不要の水分を緑化用ユニット１の外部に排出でき、根腐れ等を防止することができる。
また、前記多孔質プラスチックフィルム６の、前記緑化用ユニット１の植栽面を上面とした場合の側面に当たる部位には、前記排水用孔部７とは別に、給水用孔部８を２箇所、前記緑化用ユニット１を平面視した場合の対角線位置に設けている。前記緑化用ユニット１内には、この給水用孔部８，８の一方の孔部８から他方の孔部８を介するように、樹脂やセラミック等からなる多孔質管や細孔が多数形成された鋼管等の透水部材９を通している。この透水部材９を通じて、緑化用ユニット１内への人工的な給水が可能となり、降雨による自然の給水のみでは安定的に生育させることが困難な乾燥に弱い植物等を使った緑化も可能となる。また、前記透水部材９は、一方の端部の外径が小さく、他端部の外径が大きい雄雌構造に形成すれば、例えば、隣接した緑化用ユニット１，１の透水部材９，９同士を連結することができ、複数の緑化用ユニット１，１・・・に対して効率的な給水が可能となる。
【００１８】
また、図２に示すように、例えば、ポリプロピレン製の円筒状の植栽基盤固定部材１０の周囲にフランジ部１０ａを形成し、このフランジ部１０ａとこのフランジ部１０ａが当接する受部３周囲に、植栽基盤固定部材１０を固定する係合部材として面ファスナー１１ａ，１１ｂ（例えば、住友スリーエム社製のデュアルロックファスナー等の工業用ファスナー）を設け、前記面ファスナー１１ａ，１１ｂ同士を互いに係合させることにより、植栽基盤固定部材１０に保持された植栽基盤４を緑化用ユニット１に安定に固定することができる。
また、面ファスナー１１ａ，１１ｂのように植栽基盤固定部材１０を着脱自在に固定する係合部材を用いると、簡単に植栽基盤固定部材１０を緑化用ユニット１から取り外すことができ、植物５の植え替え等に際して植栽基盤４の交換が容易に行える。
尚、前記成形保水体２を被包するための被覆材として、一般的なポリエチレンフィルム等を使用した場合には、被覆材に接着剤が付着しにくいため、前記被覆材に面ファスナー１１等を強固に接着させることが困難であったが、前記被覆材として前記連続微細孔を有した多孔質プラスチックフィルム６を使用した場合は、該フィルム６の微細孔内に接着剤が染み込み、面ファスナー１１等を強固に接着させることができる。
また、前記緑化用ユニット１の植栽部分に、植物５を植栽した植栽基盤４の上から覆うように、植物飛散防止部材としてネット１２を設けることにより、豪雨や強風等による前記植物５の飛散を防止することができる。
【００１９】
図３は、本発明の緑化用ユニット１の第３の実施の形態を示した斜視図であり、ガラス繊維を主体とした略矩形状の成形保水体２に植栽用の受部３を設けた緑化用ユニット１の４隅部の４箇所にハトメ１３を設けている。このハトメ１３を利用し、図４に示すように、ステンレスの撚り線、ボルト・ナット等の取付用具１５を前記ハトメ１３に挿入して緑化用ユニット１を金網、柵形状物であるフェンス１４等に強固に取り付けることができ、容易に壁面緑化を実現することができる。また、このような固定方法及び設置方法であれば、緑化用ユニット１自体を破損等させることなく緑化用ユニット１の取り外しが行え、緑化用ユニット１の再設置や再利用が可能となる。
また、緑化用ユニット１を平面に対して設置する場合には、例えば、緑化用ユニット１の裏面（植栽面の反対面）、緑化用ユニット１の設置予定面（壁面等）のそれぞれに、面ファスナー（例えば、住友スリーエム社製のデュアルロックファスナー等の工業用ファスナー）を設け、この面ファスナーを利用して、壁面等の平面に緑化用ユニット１を固定して設置することができる。このようにして設置された緑化用ユニット１は、前述のハトメ１３を利用した設置方法の場合と同様、緑化用ユニット１自体を破損等させることなく取り外しが行え、緑化用ユニット１の再設置や再利用が可能である。
尚、緑化用ユニット１のこれらの設置方法は、本発明の緑化用ユニット１が従来の緑化用ユニットに比べて大幅に軽量化されていることにより可能となっているものであり、従来の軽量化が不十分な緑化用ユニットでは同様の設置方法は採用できない。
【実施例】
【００２０】
次に、本発明の実施例を従来例とともに説明する。
（実施例１）
ガラス繊維製断熱材の廃材を解体し、平均繊維径４μｍのガラス繊維を取り出した。このガラス繊維９８質量％と補強材料としてクラフトパルプ２質量％を水中で分散・混合後、短網抄紙機にて抄造し、乾燥して、ガラス繊維とクラフトパルプからなる厚さ５ｍｍの成形保水体シートを得た。
次に、重量平均分子量２００万の超高分子量ポリエチレン樹脂２０質量％と、無機粉体として平均粒子径５μｍのシリカ粉体２４質量％と、可塑剤として鉱物オイル５６質量％とをヘンシェルミキサーにて混合し、得られた混合物を二軸押出機にて加熱溶融・混練しながらＴダイから押し出し、更に、一方のロール表面に所定形状の溝が刻設された成形ロール間を通して成形して、片面に複数条の直線状のリブ状突起が形成されたシートを得た。次いで、このシートをトリクロロエチレン中に浸漬して、前記シート中の前記鉱物オイルを抽出除去し、乾燥して、多孔質プラスチックフィルムを得た。この多孔質プラスチックフィルムは、ポリエチレン樹脂とシリカ粉体を主体構成とし、最大孔径が１μｍ以下の複雑な連続微細孔を有し、片面に複数条の直線状のリブ状突起を有し、ベース厚さが０．２０ｍｍ、リブ状突起高さが０．７ｍｍ、総厚さが０．９ｍｍの寸法を有したフィルムである。
次に、前記成形保水体シートを３０ｃｍ×３０ｃｍの大きさに裁断し、これを４枚重ね、前記多孔質プラスチックフィルムで被包した後、その一方の面に円形凹状の植栽用の受部を形成した。次いで、上面、下面の前記多孔質プラスチックフィルムに２箇所ずつ約２ｃｍの切れ目を入れて給水口、排水口を形成し、更に、４隅部の４箇所に固定用のハトメを形成して、緑化用ユニットを作製した。
次に、発芽したアサガオを採取し、その根部分を草炭繊維で包み、市販の園芸用栄養剤１．８ｇを根の周囲に撒いて植栽基盤とし、該植栽基盤を前記緑化用ユニットの前記受部に埋め込んだ。更に、前記給水口から前記緑化用ユニット内へ給水を行い、前記排水口から水が漏れ出す時点までに１５３０ｍｌの水を給水した。
【００２１】
（実施例２）
前記ガラス繊維８８質量％と、熱膨張性マイクロカプセル（松本油脂製薬株式会社製マツモトマイクロスフェアーＦ−５５）を膨張させて透水性を付与したマイクロカプセル１０質量％と、前記クラフトパルプ２質量％とからなる成形保水体シートに形成したこと以外は、実施例１と同様にして緑化用ユニットを作製し、更に、実施例１と同様にして植栽基盤を埋め込み、１５３０ｍｌの水を給水した。
【００２２】
（従来例）
透水係数１．０×１０-2ｃｍ／ｓｅｃの透水性を有するポリエステルスパンボンド不織布（目付け１００ｇ／ｍ2）からなる基材に、網目が１ｃｍ角のポリエステル繊維を撚り合わせたネットからなる補強体を重ね合わせ、前記補強体が外側になるように半分に折り畳み、その両側端部分を溶融状態の塩化ビニール樹脂中に漬け込み、加熱乾燥させて、内寸法が３０ｃｍ×３０ｃｍの矩形状で、厚さが２ｃｍの１辺が開口した袋状とし、４隅部の４箇所に固定用のハトメを形成して、緑化用袋を作製した。
次に、Ｗ値１１．７のパーライト土壌１８００ｃｍ3と市販の園芸用栄養剤１．８ｇを混合し、前記緑化用袋に充填した後、発芽したアサガオを採取して前記土壌中に埋め込み、前記緑化用袋の開口部を縫い合わせて前記アサガオのみ露出させた状態にした。最後に給水を行い、水が漏れ出す時点までに１１１７ｍｌの水を給水した。
【００２３】
次に、前記実施例１〜２の緑化用ユニット及び従来例の緑化用袋を、南に面した直射日光と風の当たる高さ３ｍの非常階段に設置された垂直面をなす金網面に、前記ハトメを利用して針金で固定するように設置し、植栽したアサガオの生存期間を調べた。結果を表１に示す。尚、実施例１〜２の成形保水体及び従来例のパーライト土壌のＷ値は、次のように測定した。
〈Ｗ値〉
前記成形保水体又は前記パーライト土壌の体積１０００ｍｌとなる量を採取し、乾燥時の質量Ｗ1を測定した後、多孔質性の袋に入れて吊るし、前記袋上部の開口から水をゆっくりと注水し、袋下部より水滴が漏れ出す時点までのトータルの注水量を測定して最大保水量Ｗ2とし、次式（１）に従い抱水倍率を求め、次式（２）に従いＷ値を求めた。
（１）抱水倍率＝Ｗ2／Ｗ1
（２）Ｗ＝（抱水倍率）／（成形保水体又はパーライト土壌の絶乾時の見掛け比重）
【００２４】
【表１】
2006087334.tif 000003
【００２５】
表１から以下のようなことが分かった。
（１）実施例１のガラス繊維を主体とした成形保水体からなる緑化用ユニットは、成形保水体の見掛け密度が低いため、３０ｃｍ×３０ｃｍ×２ｃｍの成形保水体を使用した場合の質量が２７４ｇと軽量（約３．０ｋｇ／ｍ2）であり、また、実施例２の透水性を有するマイクロカプセルを含有させた成形保水体からなる緑化用ユニットは、同サイズで２０２ｇ（約２．２ｋｇ／ｍ2）と更に軽量であるのに対し、従来例の緑化用袋では、同サイズで４４９ｇ（約５．０ｋｇ／ｍ2）と重く、本発明の緑化用ユニットは、従来例の緑化用袋と比較して、実施例１で３９％、実施例２で５１％の軽量化が図れていることが確認できた。
（２）実施例１のガラス繊維を主体とした成形保水体からなる緑化用ユニットは、成形保水体のＷ値が４３．５と高いため、軽量構造であるにも拘わらず、３０ｃｍ×３０ｃｍ×２ｃｍの成形保水体を使用した場合の最大保水量が１５３０ｍｌと多く、また、実施例２の透水性を有するマイクロカプセルを含有させた成形保水体からなる緑化用ユニットは、更に軽量構造であるにも拘わらず、成形保水体のＷ値が８５．０と更に高いため、同サイズで最大保水量が１５３０ｍｌと多いのに対し、従来例の緑化用袋では、同サイズで最大保水量が１１１７ｍｌと少なく、本発明の緑化用ユニットは、従来例の緑化用袋と比較して、最大保水量から見た保水性が３７％向上されていることが確認できた。
（３）実施例１〜２の緑化用ユニットは、透水係数が２．１×１０-6ｃｍ／ｓｅｃの被覆材で成形保水体を被包したため、成形保水体に保持された水分の蒸発を長期に亘り防止して成形保水体の乾燥を防ぐ効果が高く、透水係数が１．０×１０-2ｃｍ／ｓｅｃの袋基材からなる袋体に土壌を充填した従来例の緑化用袋の場合と比較して、植物の生存期間が実施例１で約２．３倍、実施例２で約２．７倍に長くなることが確認できた。
（４）実施例１〜２の緑化用ユニットでは、成形保水体を被包するための被覆材として連続微細孔を有する多孔質プラスチックフィルムを用いたため、成形保水体を前記被覆材で包装加工する際、通常の木工用接着剤が前記被覆材に浸透して前記被覆材同士の重ね合わせ部等の組立部分を容易に接着加工することができた。
（５）実施例１〜２の緑化用ユニットは、給水後のユニット変形がないため、質量分布が均一となり、設置面である金網に対して均一な荷重をかけることができた。これに対し、従来例の緑化用袋は、給水後のユニット変形が発生したため、美観が損なわれたとともに、設置面である金網に対して均一に荷重をかけることができなかった。
【図面の簡単な説明】
【００２６】
【図１】本発明の緑化用ユニットの第１の実施形態の概略構成を示す斜視図
【図２】本発明の緑化用ユニットの第２の実施形態の概略構成を示す断面図
【図３】本発明の緑化用ユニットの第３の実施形態の概略構成を示す斜視図
【図４】本発明の緑化用ユニットをフェンスに設置した状態を示す説明図
【符号の説明】
【００２７】
１    緑化用ユニット
２    成形保水体
２’  成形保水体シート
３    受部
４    植栽基盤
５    植物
６    多孔質プラスチックフィルム
７    排水用孔部
８    給水用孔部
９    透水部材
１０    植栽基盤固定部材
１０ａ  フランジ部
１１ａ  面ファスナー
１１ｂ  面ファスナー
１２    ネット
１３    ハトメ
１４    フェンス
１５    取付用具
【図１】
2006087334.tif 000004
【図２】
2006087334.tif 000005
【図３】
2006087334.tif 000006
【図４】
2006087334.tif 000007